(57)【要約】【課題】モニタ画面と画像のアスペクト比に制限がなく、モニタ画面の焼きつきを防止することができる映像表示制御装置を提供する。【解決手段】フレームコントローラ部１２１はＡ／Ｄ変換部１１からのデジタル映像信号をフレームメモリ部１２２に格納するとともに、演算部１２３からの指示に従い、フレームメモリ部１２２に格納したデジタル映像信号の一部に相当する映像を切り出して映像伸張部１２４に入力し、演算部１２３はフレームコントローラ部１２１に対してデジタル映像信号の一部に相当する映像を切り出す指示を与え、フレームコントローラ部１２１によりフレームメモリ部１２２からデジタル映像信号の一部に相当する映像が切り出される位置が変化するように制御する。また、映像伸張部１２４は、フレームコントローラ部１２１が切り出したデジタル映像をモニタ１４の表示サイズに合わせて伸張する。【選択図】図１
2010278748.tif 000002
【特許請求の範囲】
【請求項１】
メモリ手段と、
入力されたデジタル映像信号を前記メモリ手段へ格納し、外部からの指示に従い前記メモリ手段から前記デジタル映像信号の一部に相当する映像を切り出し表示するコントローラ手段と、
前記コントローラ手段に対して前記指示を与え、前記コントローラ手段により前記メモリ手段から前記デジタル映像信号の一部に相当する映像が切り出される位置が変化するように制御する演算手段と、
を備えた映像表示制御装置。
【請求項２】
前記メモリ手段は、デジタル映像信号をフレーム単位で記憶するフレームメモリである請求項１に記載の映像表示制御装置。
【請求項３】
前記演算手段は、前記コントローラ手段により前記メモリ手段から前記デジタル映像信号の一部に相当する映像が切り出される位置が定周期で変化するように制御する請求項１又は請求項２に記載の映像表示制御装置。
【請求項４】
前記コントローラ手段により切り出された映像を表示サイズに合わせて伸張する映像伸張手段を備えた請求項１乃至請求項３のいずれかに記載の映像表示制御装置。
【発明の詳細な説明】
【技術分野】
【０００１】
本発明は、監視システムに用いて好適な映像表示制御装置に関する。
【背景技術】
【０００２】
監視システムは、一般的に複数のカメラと、複数のカメラのそれぞれからの映像を記録するレコーダと、各カメラからの映像及びレコーダに記録された映像を表示するモニタとから構成される。また、従来の監視システムには、レコーダからモニタへ出力する映像を複数画面に分割して、複数のカメラ映像を表示するようにしたものがある。
【０００３】
監視システムでは、監視者が映像を監視することになるので、モニタに表示される映像は長時間同じ画角の映像となる。このため、モニタの焼きつきが発生し、モニタ上の色再現性、画質が劣化し易いという問題がある。この問題に対し、例えば特許文献１で開示されたテレビジョン受信機では、映像を表示する領域を移動させるようにしている。より詳しく述べると、このテレビジョン受信機は、表示装置と、映像信号に基づいて前記表示装置を制御する表示制御部と、遷移信号発生部とを備え、前記表示制御部は、前記表示装置によりこの表示装置の表示面とアスペクト比の異なる映像を表示遷移信号に基づいて、映像が表示される領域を移動させる。
【先行技術文献】
【特許文献】
【０００４】
【特許文献１】特開平２−１３１６７６号公報
【発明の概要】
【発明が解決しようとする課題】
【０００５】
しかしながら、上述した特許文献１で開示されたテレビジョン受信機は、アスペクト比１６：９のモニタにアスペクト比４：３の映像を表示し、左右の黒領域を利用して映像を左右に移動するものであるため、モニタ画面と画像のアスペクト比に制限がある。また、モニタ画面の焼きつき防止のために、レコーダが出力する映像の輝度を一定時間下げるか、もしくはモニタ電源をオフして映像を表示しないようにした監視システムもあるが、輝度を下げている期間やモニタ電源をオフしている期間は映像監視ができなくなる。
【０００６】
本発明は、係る事情に鑑みてなされたものであり、モニタ画面と画像のアスペクト比に制限がなく、モニタ画面の焼きつきを防止することができる映像表示制御装置を提供することを目的とする。
【課題を解決するための手段】
【０００７】
本発明の映像表示制御装置は、メモリ手段と、入力されたデジタル映像信号を前記メモリ手段へ格納し、外部からの指示に従い前記メモリ手段から前記デジタル映像信号の一部に相当する映像を切り出し表示するコントローラ手段と、前記コントローラ手段に対して前記指示を与え、前記コントローラ手段により前記メモリ手段から前記デジタル映像信号の一部に相当する映像が切り出される位置が変化するように制御する演算手段と、を備えた。
【０００８】
上記構成によれば、メモリ手段にデジタル映像信号を格納し、外部から指示があると、コントローラ手段が、メモリ手段に格納したデジタル映像信号の一部に相当する映像を切り出し表示する。演算手段は、コントローラ手段に対してデジタル映像信号の一部に相当する映像を切り出し表示する指示を与え、コントローラ手段によりメモリ手段からデジタル映像信号の一部に相当する映像が切り出される位置が変化するように制御するので、モニタの輝度を下げたり、モニタ電源をオフしたりすることなくモニタ画面の焼きつきを防止することができる。すなわち、映像の監視を継続しながらもモニタ画面の焼きつきを防止することができる。
【０００９】
上記構成において、前記メモリ手段として、デジタル映像信号をフレーム単位で記憶するフレームメモリが望ましい。
【００１０】
上記構成において、前記演算手段は、前記コントローラ手段により前記メモリ手段から前記デジタル映像信号の一部に相当する映像が切り出される位置が定周期で変化するように制御する。
【００１１】
上記構成によれば、デジタル映像信号の一部に相当する映像を切り出す位置を定周期で変化するように制御することで、モニタ画面の焼きつきを確実に防止することができ、たとえ長期間の使用によって焼きつきが生じたとしても、その焼きつきがモニタ画面全体に亘るので、モニタ画面に焼きつきが生じたことを分かり難くできる。
【００１２】
上記構成において、前記コントローラ手段により切り出された映像を表示サイズに合わせて伸張する映像伸張手段を備えた。
【００１３】
上記構成において、コントローラ手段により切り出された映像をモニタの表示サイズに合わせて伸張するので、モニタ画面と画像のアスペクト比に制限がなく、モニタ画面の焼きつきを防止することができる。
【発明の効果】
【００１４】
本発明は、モニタ画面と画像のアスペクト比に制限がなく、モニタ画面の焼きつきを防止することができる。
【図面の簡単な説明】
【００１５】
【図１】本発明の実施の形態１に係る監視システムの概略構成を示すブロック図
【図２】図１に示す映像表示制御装置の動作を説明するための図
【図３】本発明の実施の形態２に係る監視システムの概略構成を示すブロック図
【図４】図３に示す映像表示制御装置の動作を説明するための図
【発明を実施するための形態】
【００１６】
以下、本発明を実施するための好適な実施の形態について、図面を参照して詳細に説明する。
【００１７】
（実施の形態１）
図１は、本発明の実施の形態１に係る監視システムの概略構成を示すブロック図である。本実施の形態の監視システム１は、カメラ１０と、アナログ／デジタル変換部（以下、“Ａ／Ｄ変換部”と呼ぶ）１１と、映像表示制御装置１２と、デジタル／アナログ変換部（以下、“Ｄ／Ａ変換部”と呼ぶ）１３と、モニタ１４とを備えている。映像表示制御装置１２は、フレームコントローラ部（コントローラ手段）１２１と、フレームメモリ部（メモリ手段）１２２と、演算部（演算手段）１２３と、映像伸張部１２４とを備えている。なお、Ａ／Ｄ変換部１１、映像表示制御装置１２及びＤ／Ａ変換部１３はレコーダを構成する。
【００１８】
カメラ１０は、撮像した動画像をアナログの映像信号として出力する。Ａ／Ｄ変換部１１は、カメラ１０からのアナログ映像信号をデジタル変換して出力する。フレームコントローラ部１２１は、Ａ／Ｄ変換部１１からのデジタル映像信号をフレーム単位でフレームメモリ部１２２に格納する。また、フレームコントローラ部１２１は、演算部１２３からの指示に従い、フレームメモリ部１２２から映像データを切り出して映像伸張部１２４へ出力する。映像データの切り出しは例えば１秒間に６０回行われる。フレームメモリ部１２２は、ＤＲＡＭ（Dynamic RAM）等の揮発性メモリを有し、デジタル映像信号を蓄積する。
【００１９】
演算部１２３は、ＣＰＵ（Central Processing Unit）を有し、フレームコントローラ部１２１に対して、フレームメモリ部１２２に蓄積されたデジタル映像から、指定された比率の映像を切り出す指示を与える。例えば、デジタル映像の切り出す位置を、デジタル映像の上下左右方向へ定周期で変化させる指示を与える。映像伸張部１２４は、フレームコントローラ部１２１により切り出されたデジタル映像をモニタ１４の表示サイズに合わせて伸張する。Ｄ／Ａ変換部１３は、映像表示制御装置１２から出力されるデジタル映像信号をアナログ変換して出力する。モニタ１４はアナログ映像信号を表示する。
【００２０】
図２の（ａ）に示す映像はカメラ１０から出力されたアナログの映像である。また、図２の（ｂ）に示す映像はフレームメモリ部１２２に格納されるデジタル映像である。アナログ映像とデジタル映像はアナログとデジタルの違いはあるものの、映像としては殆ど同じでものである。一方、図２の（ｃ）に示す点線５０で囲んだ部分の映像は、フレームコントローラ部１２１によって切り出されたデジタル映像である。この切り出されたデジタル映像は、そのままではモニタ１４に表示するには小さいので、映像伸張部１２４がモニタ１４の表示サイズに合わせて伸張する。これにより、モニタ１４に表示される映像は図１に示すようになる。なお、図１のモニタ画面中に矢印（“↑”）を示したが、これは画像の動きを示すものである。
【００２１】
演算部１２３は、フレームコントローラ部１２１に対して、フレームメモリ部１２２からデジタル映像の一部に相当する映像を切り出す位置を上下左右方向へ定周期で変化するように制御する。デジタル映像信号の一部に相当する映像を切り出す位置を上下左右方向へ定周期で変化するように制御することで、モニタ１４の画面における焼きつきを均一化でき、部分的な焼きつきを無くすことができる。すなわち、デジタル映像信号の一部に相当する映像を切り出す位置を上下左右方向へ定周期で変化するように制御することで、モニタ画面の焼きつきを確実に防止することができ、たとえ長期間の使用によって焼きつきが生じたとしても、その焼きつきがモニタ画面全体に亘るので、モニタ画面に焼きつきが生じたことを分かり難くできる。
【００２２】
このように本実施の形態の監視システム１によれば、映像表示制御装置１２において、フレームコントローラ部１２１は、Ａ／Ｄ変換部１１からのデジタル映像信号をフレームメモリ部１２２に格納するとともに、演算部１２３からの指示に従い、フレームメモリ部１２２に格納したデジタル映像信号の一部に相当する映像を切り出して映像伸張部１２４に入力し、演算部１２３は、フレームコントローラ部１２１に対してデジタル映像信号の一部に相当する映像を切り出す指示を与え、フレームコントローラ部１２１によりフレームメモリ部１２２からデジタル映像信号の一部に相当する映像が切り出される位置が変化するように制御する。これにより、モニタ１４の輝度を下げたり、モニタ電源をオフしたりすることなくモニタ１４の画面の焼きつきを防止することができる。すなわち、映像の監視を継続しながらもモニタ１４の画面の焼きつきを防止することができる。特に、デジタル映像信号の一部に相当する映像を切り出す位置を定周期で変化するように制御することで、モニタ１４の画面の焼きつきを確実に防止することができ、たとえ長期間の使用によって焼きつきが生じたとしても、それがモニタ画面全体に亘るので、焼きつきが生じたことを分かり難くできる。
【００２３】
また、映像伸張部１２４は、フレームコントローラ部１２１が切り出したデジタル映像をモニタ１４の表示サイズに合わせて伸張するので、モニタ画面と画像のアスペクト比に制限がなく、モニタ画面の焼きつきを防止することができる。
【００２４】
（実施の形態２）
図３は、本発明の実施の形態２に係る監視システムの概略構成を示すブロック図である。同図に示す監視システム２０は、上述した実施の形態１の監視システム１の映像表示制御装置１２の機能を拡張した映像表示制御装置２１を有するものであり、４台のカメラ１０−１〜１０−４からの映像信号を扱うことができる。４台分のカメラ１０−１〜１０−４を扱うために４つのＡ／Ｄ変換部１１−１〜１１−４を有し、また４つのＡ／Ｄ変換部１１−１〜１１−４それぞれからのデジタル映像信号を処理可能なフレームコントローラ部（コントローラ手段）１２１Ａと、フレームコントローラ部１２１Ａに指示を与える演算部（演算手段）１２３Ａを有している。その他、フレームメモリ部（メモリ手段）１２２、映像伸張部１２４、Ｄ／Ａ変換部１３及びモニタ１４は実施の形態１の監視システム１が有するものと同様である。
【００２５】
フレームコントローラ部１２１Ａは、Ａ／Ｄ変換部１１−１〜１１−４それぞれからのデジタル映像信号をフレーム単位でフレームメモリ部１２２に格納する。また、フレームコントローラ部１２１Ａは、演算部１２３Ａからの指示に従い、フレームメモリ部１２２から４台のカメラ１０−１〜１０−４のそれぞれに対応するデジタル映像を切り出して映像伸張部１２４へ出力する。デジタル映像の切り出し例えば１秒間に６０回行われる。
【００２６】
演算部１２３Ａは、フレームコントローラ部１２１Ａに対して、フレームメモリ部１２２に蓄積された４台のカメラ１０−１〜１０−４それぞれに対応するデジタル映像から、指定された比率の映像を切り出す指示を与える。演算部１２３Ａは、４台のカメラ１０−１〜１０−４それぞれに対応するデジタル映像の切り出す位置を、該各デジタル映像の上下左右方向へ定周期で変化させることも可能である。映像伸張部１２４は、フレームコントローラ部１２１Ａにより切り出された４台のカメラ１０−１〜１０−４それぞれに対応するデジタル映像をモニタ１４の表示サイズに合わせて伸張する。Ｄ／Ａ変換部１３は、映像表示制御装置２１から出力されるデジタル映像信号をアナログ変換して出力する。モニタ１４は、アナログ映像信号を表示する。
【００２７】
図４に示す点線５１〜５４で囲んだ部分の映像は、フレームコントローラ部１２１Ａが４台のカメラ１０−１〜１０−４それぞれに対応するデジタル映像から切り出したデジタル映像である。すなわち、（ａ）はカメラ１０−１に対応するデジタル映像から切り出したデジタル映像、（ｂ）はカメラ１０−２に対応するデジタル映像から切り出したデジタル映像、（ｃ）はカメラ１０−３に対応するデジタル映像から切り出したデジタル映像、（ｄ）はカメラ１０−４に対応するデジタル映像から切り出したデジタル映像である。これらのデジタル映像は、そのままではモニタ１４の画面を４分割したそれぞれの画面に表示するには小さいので、映像伸張部１２４がそれぞれの画面の表示サイズに合わせて伸張する。これにより、モニタ１４に表示される映像は図３に示すようになる。なお、図３の４つのモニタ画面中に矢印（“→”、“↓”、“↑”、“←”）を示したが、これはそれぞれのモニタ画面中の画像の動きを示すものである。
【００２８】
演算部１２３Ａは、フレームコントローラ部１２１Ａに対して、フレームメモリ部１２２から４台のカメラ１０−１〜１０−４それぞれに対応するデジタル映像信号の一部に相当する映像を切り出す位置を上下左右方向へ定周期で変化するように制御する。デジタル映像信号の一部に相当する映像を切り出す位置を上下左右方向へ定周期で変化するように制御することで、モニタ１４の画面における焼きつきを均一化でき、部分的な焼きつきを無くすことができる。すなわち、デジタル映像信号の一部に相当する映像を切り出す位置を上下左右方向へ定周期で変化するように制御することで、モニタ画面の焼きつきを確実に防止することができ、たとえ長期間の使用によって焼きつきが生じたとしても、その焼きつきがモニタ画面全体に亘るので、モニタ画面に焼きつきが生じたことを分かり難くできる。
【００２９】
このように本実施の形態の監視システム２０によれば、モニタ１４に複数画面を表示する場合でも、その複数画面に対して上記実施の形態１の映像表示制御装置１２の処理と同等の処理を行うので、複数画面に対してもモニタ１４の輝度を下げたり、モニタ電源をオフしたりすることなくモニタ１４の画面の焼きつきを防止することができる。すなわち、映像の監視を継続しながらもモニタ１４の画面の焼きつきを防止することができる。また、映像伸張部１２４は、フレームコントローラ部１２１Ａが切り出したデジタル映像をモニタ１４の表示サイズに合わせて伸張するので、モニタ画面と画像のアスペクト比に制限がなく、モニタ画面の焼きつきを防止することができる。
【００３０】
なお、本実施の形態では、映像表示制御装置で映像を切り出す位置を上下左右方向へ定周期で変化するように制御しているが、カメラに内蔵し、カメラで切り出す位置を制御することも可能である。この場合、回転台一体型のカメラではカメラの向きを変更することが可能なので焼きつきが発生しにくいが、固定カメラはカメラの向きを変更でいない為、固定カメラにのみ焼きつき防止機能を内蔵させることでシステムコストを低減させることができる。
【産業上の利用可能性】
【００３１】
本発明は、モニタ画面と画像のアスペクト比に制限がなく、モニタ画面の焼きつきを防止することができるといった効果を有し、監視システムなどへの適用が可能である。
【符号の説明】
【００３２】
１、２０  監視システム
１０、１０−１〜１０−４  カメラ
１１、１１−１〜１１−４  アナログ／デジタル変換部
１２、２１  映像表示制御装置
１３  デジタル／アナログ変換部
１４  モニタ
１２１、１２１Ａ  フレームコントローラ部
１２２  フレームメモリ部
１２３、１２３Ａ  演算部
１２４  映像伸張部
【図１】
2010278748.tif 000003
【図２】
2010278748.tif 000004
【図３】
2010278748.tif 000005
【図４】
2010278748.tif 000006